(57)【要約】      （修正有）【課題】標準型補強板を有し、容易に組み立てられるフレキシブルフラットケーブルを提供する。【解決手段】標準型補強板を有するフレキシブルフラットケーブルは、一絶縁層１２、一導体層１４と一補強板１６を含む。絶縁層は開口部ＳＰを有し、開口部に物質を充填し、開口部は第一の長さＬ１を有する。導体層は絶縁層の一方に配置され、補強板は絶縁層のもう一方に配置される。補強板は開口部を遮蔽し、第二の長さＬ２を有する。第二の長さは第一の長さより大きく、且つ第二の長さと第一の長さとの差は１２ｍｍ以下であり、物質が開口部を充満して同時に絶縁層と補強板に接触する。【選択図】図１
0003227689.tif 000002
【実用新案登録請求の範囲】
【請求項１】
標準型補強板を有するフレキシブルフラットケーブルであり、絶縁層、導体層及び補強板を含み、
前記絶縁層が開口部を提供し、前記開口部には物質が充填され、前記開口部が方向において第一の長さを有し、
前記導体層が前記絶縁層の側に積層され、
前記補強板が前記絶縁層のもう一方の側に積層され、前記補強板が前記開口部を遮蔽し、前記補強板が前記方向において第二の長さを有し、
そのうち、前記第二の長さが前記第一の長さより大きく、前記第二の長さと前記第一の長さの差が初期値であり、また前記開口部に前記物質を充満させることで、前記物質が同時に前記絶縁層と前記補強板に接触することを特徴とする、標準型補強板を有するフレキシブルフラットケーブル。
【請求項２】
前記物質の形態が気体であることを特徴とする、請求項１に記載の標準型補強板を有するフレキシブルフラットケーブル。
【請求項３】
さらに拡張パーツを含み、前記拡張パーツが前記絶縁層に積層され、且つ前記補強板と同じ側に積層されることを特徴とする、請求項２に記載の標準型補強板を有するフレキシブルフラットケーブル。
【請求項４】
前記拡張パーツと前記絶縁層が角度を挟設することを特徴とする、請求項３に記載の標準型補強板を有するフレキシブルフラットケーブル。
【請求項５】
前記拡張パーツの一端が前記補強板と接続し、前記拡張パーツの一端に開放側が形成されていることを特徴とする、請求項４に記載の標準型補強板を有するフレキシブルフラットケーブル。
【請求項６】
前記物質の形態が固体であることを特徴とする、請求項１に記載の標準型補強板を有するフレキシブルフラットケーブル。
【請求項７】
前記物質の材質がコロイドであることを特徴とする、請求項６に記載の標準型補強板を有するフレキシブルフラットケーブル。
【請求項８】
さらに拡張補強板を含み、前記拡張補強板が前記絶縁層に積層され、且つ前記補強板と同じ側に積層され、前記拡張補強板と前記補強板の間には間隙があることを特徴とする、請求項６に記載の標準型補強板を有するフレキシブルフラットケーブル。
【請求項９】
さらに拡張パーツを含み、前記拡張パーツが前記絶縁層に積層され、且つ前記拡張補強板と同じ側に積層され、前記拡張パーツと前記絶縁層が角度を挟設することを特徴とする、請求項８に記載の標準型補強板を有するフレキシブルフラットケーブル。
【請求項１０】
前記初期値が１２ミリメートルであることを特徴とする、請求項１もしくは６に記載の標準型補強板を有するフレキシブルフラットケーブル。
【請求項１１】
標準型補強板を有するフレキシブルフラットケーブルであり、絶縁層、導体層、補強板及び拡張補強板を含み、
前記導体層が前記絶縁層の側に積層され、
前記補強板が前記絶縁層のもう一方の側に積層され、前記補強板が方向において第二の長さを有し、前記第二の長さが１２ミリメートルより大きくなく、
前記拡張補強板が前記絶縁層に積層され、且つ前記補強板と同じ側に積層され、且つ前記拡張補強板と前記補強板との間に間隙があることを特徴とする、標準型補強板を有するフレキシブルフラットケーブル。
【考案の詳細な説明】
【技術分野】
【０００１】
本考案は、フラットケーブルの技術分野に属し、特に標準仕様に準じたフレキシブルフラットケーブルである。
【背景技術】
【０００２】
従来のフレキシブルフラットケーブル（Ｆｌｅｘｉｂｌｅ  Ｆｌａｔ  Ｃａｂｌｅ，ＦＦＣ）は、錫メッキされたＰＥＴ絶縁材料平板型の銅線を自動化生産ラインで複数本並べて被覆したデータ転送ケーブルである。通信転送に使われていて、繰り返し折り曲げられる、高速なデータ転送が可能などのメリットがある。しかし生産を行う会社が多いゆえ、データ転送が正常で且つスムーズに接続できているかの確認ができるように、各会社は標準仕様に従う必要がある。これらの基準は通常電気の特性（電気抵抗、容量性リアクタンス等）に関係する。
【０００３】
ただしコネクタの標準仕様は接続するコネクタの共通仕様であり、組立／設置者で決めるものではない。
【０００４】
このことから、本考案は標準仕様において生産された場合の欠如を補うべく、標準型補強板を有するフレキシブルフラットケーブルを提供する。
【考案の概要】
【考案が解決しようとする課題】
【０００５】
本考案の一つ目の目的は標準仕様（例えばＵＬ基準）に準じた上で、容易に組み立てられる、標準型補強板を有するフレキシブルフラットケーブルを提供することである。
【０００６】
本考案の二つ目の目的は上記の標準型補強板を有するフレキシブルフラットケーブルに開口型絶縁層を作ることで様々な環境に適応させることである。
【０００７】
本考案の三つ目の目的は先述の標準型補強板を有するフレキシブルフラットケーブルの開口部に異なる材料を充填し、補強板と合わせることで設置者が容易に組み込めるようにすることである。
【０００８】
本考案の四つ目の目的は上述の標準型補強板を有するフレキシブルフラットケーブルを用いて、標準のオス／メスコネクタと接続し、電子通信の転送を果たすことである。
【０００９】
本考案の五つ目の目的は上記の標準型補強板を有するフレキシブルフラットケーブルの補強板でオス／メスコネクタと接続し、接続の安定性を高めることである。
【００１０】
本考案の六つ目の目的は上述の標準型補強板を有するフレキシブルフラットケーブルの複合材料層からできたアース開口で第一コネクタと第二コネクタのアース端と接続することである。
【００１１】
本考案の第七の目的は、前述の標準型補強板を有するフレキシブルフラットケーブルによって、組立者が柔軟性のあるフラットケーブルを握りやすくするための拡張パーツを提供することである。
【課題を解決するための手段】
【００１２】
前述した目的と他の目的を達するため、本考案は標準型補強板を有するフレキシブルフラットケーブルを提供する。フレキシブルフラットケーブルは絶縁層、導体と補強板を含む。絶縁層は開口部を提供し、その内、開口部に一つの物質を充填し、又開口部は方向において第一の長さを有する。導体層は絶縁層の側に積層され、補強板は絶縁層のもう一方の側に積層される。補強板は開口部を遮蔽し、また補強板は方向において第二の長さを有する。その内、第二の長さは第一長さより大きく、又第二と第一の長さの差は初期値である。開口部に物質が充満しているため、物質が同時に絶縁層及び補強板と接触する。
【００１３】
上記及び他の目的を達成するために、本考案は標準型補強板を有するフレキシブルフラットケーブルを提供し、絶縁層、導体層、補強板及び拡張補強板を含む。導体層は絶縁層の側に積層されており、補強板は絶縁層のもう一方の側に積層されている。その内、補強板はその方向において第二の長さを持ちまた長さは１２ミリ以下である。拡張補強板は絶縁層に、且つ補強板と同じ側に積層されており、拡張補強板と補強板との間に隙間を設けられている。
【００１４】
従来の技術に比べ、本考案が提供する標準型補強板を有するフレキシブルフラットケーブルは、構造的に調整が可能であり、標準仕様に適応し、且つ構造上の調整は技術上の改良によって電気の特性（電気抵抗、誘導性リアクタンス、容量性リアクタンス、インピーダンスマッチング等）の要求を満たす。
【図面の簡単な説明】
【００１５】
【図１】本考案の標準型補強板を有するフレキシブルフラットケーブルの第一実施例の断面図である。
【図２】本考案の標準型補強板を有するフレキシブルフラットケーブルの第二実施例の断面図である。
【図３】本考案の標準型補強板を有するフレキシブルフラットケーブルの第三実施例の断面図である。
【考案を実施するための形態】
【００１６】
本考案の目的、特徴及び効果を十分に理解するために、以下の具体的な実施例及び添付の図にて、本考案について如何に詳細に説明する。
【００１７】
本考案では、本明細書で説明されるユニット、要素、及びコンポネートに関して、「一」又は「一つ」を使用して説明する。これは単に説明を簡単且つ本考案の範疇に一般的な意義を持たせるためである。従って、明らかに他の意味を指している場合を除き、このような記述は一つ、最低一つ且つ単数もしくは複数という意味で理解すべきである。
【００１８】
本考案において、用語は「含む」、「包括する」、「有する」、「含有」又は他の任意の類似用語が非排他な包含物であることを意図している。例えば、複数の要素を含むコンポネート、構造、製品又は装置等、本明細書に記載されたこれらの要素に限定されるものではなく、明確に記載されていないが、このコンポネート、構造、製品又は装置に通常固有の他の要素を含むことができる。これ以外に、反対の明確な説明がない限り、用語「又は」は包含的な「又は」を意味し、排他的な「又は」を意味するのではない。
【００１９】
図１は本考案の第１の実施例で、標準型補強板を有するフレキシブルフラットケーブルの断面図である。図１においては、標準的型補強板を有するフレキシブルフラットケーブル１０は、オス又はメス側コネクタ（図に示されていない）を電気的に接続して、電子信号を伝達することができる。
【００２０】
標準型補強板を有するフレキシブルフラットケーブル１０は、絶縁層１２、導体層１４及び補強板１６を含む。
【００２１】
絶縁層１２は、開口部ＳＰを持つ。開口部ＳＰの形成方法は多種多様で、ここでは、二種類の形成方法を利用する。一つは二段の絶縁材料を利用して導体層１４にそれぞれ重ね合わせ（また貼り合わせ、粘着、吸着等）、その後、二段の絶縁材料の間の隙間から開口部ＳＰを形成する方法。もう一つは全体の絶縁材料を導体層１４に重ね合わせ（または貼り合わせ、粘着、吸着等）、カット（またはエッチング、プレキャスト成形、溶融等）を介して開口部ＳＰを形成する。例えば、絶縁層１２の材質は、ポリエチレン、ポリカーボネート、ポリプロピレン、ポリスチレン、ゴム等のコロイドであっても良い。ここで、開口部ＳＰは、物質Ｍを開口部ＳＰに充填し、Ｘ方向に第一の長さＬ１を有する。前述の物質Ｍの形態は固体、気体等の形態であっても良い。本考案においては、電気特性、例えば高インピーダンス等の絶縁電気特性を維持することができれば、すなわち本考案において物質Ｍとして使用できる。
【００２２】
導体層１４は、絶縁層１２の側に積層されている。すなわち、本実施例の下方である。導体層１４は電子信号を伝達するために使用され、例えば、材質は銅、銀などの金属材質であっても良い。
【００２３】
補強板１６は絶縁層１２のもう一方の側、すなわち本実施例の上方に積層されている。補強板１６は開口部ＳＰを遮蔽する。ここで、補強板１６は、Ｘ方向に第二の長さＬ２を有している。ここで、第二の長さＬ２は第一の長さＬ１より大きく、且つ第二の長さＬ２と第一の長さＬ１の差は初期値であり、例えば、初期値を１２ミリメートル（ｍｍ）より小さくすることができ、開口部ＳＰに物質Ｍを充満することで、同時に絶縁層１２と補強板１６とに接触させる。
【００２４】
例を挙げると、物質Ｍの形態が気体の場合、開口部ＳＰは一般的な空気を充填することができる。一実施例においては、第一の長さＬ１を例えば３ミリとし、第二の長さＬ２を１５ミリにした場合、第一の長さＬ１と第二の長さＬ２の差は１２ミリとなり、第二の長さＬ２は、組立者が容易に獲得できる。図２のように、標準型補強板を有するフレキシブルフラットケーブル１０は、拡張パーツ１８をさらに含み、拡張パーツ１８の一端は補強板１６と接続する。本実施例では、拡張パーツ１８は補強板１６に接続され、他の実施例では拡張パーツ１８と補強板１６は隙間を設けることができる。拡張パーツ１８は絶縁層１２に積層されて、且つ補強板１６と同じ側、つまり上方に積層されている。このように、拡張パーツ１８は絶縁層１２と角度Ａを挟設することができ、拡張パーツ１８の開放側が絶縁層１２から高度Ｈの距離になるため、組立者がフレキシブルフラットケーブル１０を例えば角度Ａの範囲が０．１度から６０度と言ったような範囲にてより容易に獲得できる。
【００２５】
例を挙げると、物質Ｍの形態が固体の場合、開口部ＳＰに例えばポリエチレン、ポリカーボネート、ポリプロピレン、ポリスチレン、ゴム等の絶縁素材を充填することが可能である。一実施例では、開口部ＳＰに絶縁層１２と同様の材質を充填することができ、開口部ＳＰが充満され、第一の長さＬ１の長さは０ミリ、第二の長さＬ２を１０ミリにし、第一の長さＬ１と第二の長さＬ２の差は１０ミリとなり、よって第二の長さＬ２は組立者が容易に獲得することが可能となる。図３を参照すると、標準型補強板を有するフレキシブルフラットケーブル１０は、更に絶縁層１２に積層される拡張補強板２０を含み、且つ拡張補強板２０は補強板１６と同じ側に積層されている。拡張補強板２０と補強板１６との間に隙間を設けている。其の他、柔軟性フレキシブルフラットケーブル１０は更に前述した拡張パーツ１８を追加することが可能である。本実施例において、拡張補強板１８は補強板２０と接続し、もう一つの実施例では、拡張パーツ１８と補強板１６との間に隙間が設けられる。拡張パーツ１８は絶縁層１２に積層され、且つ補強板１６と拡張補強板２０と同じ側、つまり上部に積層されている。ここでは拡張パーツ１８は絶縁層１２と角度Ａを挟設することができ、拡張パーツ１８の開放側と絶縁層１２が高度Ｈの距離を有するため、組立者が更に柔軟性フレキシブルフラットケーブル１０を、例えば角度Ａの範囲は０．１度から６０度と言ったような範囲でより容易に獲得できる。
【００２６】
前述した固体形物質Ｍのもう一つの実施態様における、標準型補強板を有するフレキシブルフラットケーブル１０は、開口部ＳＰに絶縁層１２と同じ材質を充填することができるため、絶縁層１２と干渉する恐れはない。そのため、柔軟性フレキシブルフラットケーブル１０は絶縁層１２、導体層１４、補強板１６及び拡張補強板２０を含むことになり、絶縁層１２、導体層１４、補強板１６及び拡張補強板２０については前述した通りなので、ここでは特に説明を行わない。この構造の下、導体層１４は絶縁層１２の側に積層され、補強板１６は絶縁層１２のもう一方の側に積層されている。そのうち、補強板１６は方向において第二の長さＬ２を持ち、且つ第二の長さＬ２は１２ミリ以下である。拡張補強板２０は絶縁層１２に積層され且つ補強板１６と同じ側に積層されており、且つ拡張補強板２０と補強板１６との間に隙間が設けられているため、不連続の接続となっている。
【００２７】
本考案に関しては比較的に良い実施例を上記に記載しており、本項を熟知した技術者は本実施例はこの考案をイメージを描くためだけのものと捉え、本考案の範囲に制限されるべきではないということを理解すべきである。注意すべき点は本凡例及び実施例と同様の変化と置換は全て本考案の範疇に該当する。従って、本考案の保護範疇は特許を申請した範囲を以て規定されるものとする。
【符号の説明】
【００２８】
１０          標準型補強板を有するフレキシブルフラットケーブル
１２          絶縁層
１４          導体層
１６          補強板
１８          拡張パーツ
２０          拡張補強板
ＳＰ          開口部
Ｍ            物質
Ｌ１          第一の長さ
Ｌ２          第二の長さ
Ｈ            高度
【図１】
0003227689.tif 000003
【図２】
0003227689.tif 000004
【図３】
0003227689.tif 000005
【手続補正書】
【提出日】令和2年6月9日(2020.6.9)
【手続補正１】
【補正対象書類名】実用新案登録請求の範囲
【補正対象項目名】全文
【補正方法】変更
【補正の内容】
【実用新案登録請求の範囲】
【請求項１】
標準型補強板を有するフレキシブルフラットケーブルであり、絶縁層、導体層及び補強板を含み、
前記絶縁層が開口部を提供し、前記開口部には物質が充填され、前記開口部が方向において第一の長さを有し、
前記導体層が前記絶縁層の側に積層され、
前記補強板が前記絶縁層のもう一方の側に積層され、前記補強板が前記開口部を遮蔽し、前記補強板が前記方向において第二の長さを有し、
そのうち、前記第二の長さが前記第一の長さより大きく、前記第二の長さと前記第一の長さの差が初期値であり、また前記開口部に前記物質を充満させることで、前記物質が同時に前記絶縁層と前記補強板に接触することを特徴とする、標準型補強板を有するフレキシブルフラットケーブル。
【請求項２】
前記物質の形態が気体であることを特徴とする、請求項１に記載の標準型補強板を有するフレキシブルフラットケーブル。
【請求項３】
さらに拡張パーツを含み、前記拡張パーツが前記絶縁層に積層され、且つ前記補強板と同じ側に積層されることを特徴とする、請求項２に記載の標準型補強板を有するフレキシブルフラットケーブル。
【請求項４】
前記拡張パーツと前記絶縁層が角度を挟設することを特徴とする、請求項３に記載の標準型補強板を有するフレキシブルフラットケーブル。
【請求項５】
前記拡張パーツの一端が前記補強板と接続し、前記拡張パーツの一端に開放側が形成されていることを特徴とする、請求項４に記載の標準型補強板を有するフレキシブルフラットケーブル。
【請求項６】
前記物質の形態が固体であることを特徴とする、請求項１に記載の標準型補強板を有するフレキシブルフラットケーブル。
【請求項７】
前記物質の材質がコロイドであることを特徴とする、請求項１に記載の標準型補強板を有するフレキシブルフラットケーブル。
【請求項８】
さらに拡張補強板を含み、前記拡張補強板が前記絶縁層に積層され、且つ前記補強板と同じ側に積層され、前記拡張補強板と前記補強板の間には間隙があることを特徴とする、請求項６に記載の標準型補強板を有するフレキシブルフラットケーブル。
【請求項９】
さらに拡張パーツを含み、前記拡張パーツが前記絶縁層に積層され、且つ前記拡張補強板と同じ側に積層され、前記拡張パーツと前記絶縁層が角度を挟設することを特徴とする、請求項８に記載の標準型補強板を有するフレキシブルフラットケーブル。
【請求項１０】
前記初期値が１２ミリメートルであることを特徴とする、請求項１もしくは６に記載の標準型補強板を有するフレキシブルフラットケーブル。
【請求項１１】
標準型補強板を有するフレキシブルフラットケーブルであり、絶縁層、導体層、補強板及び拡張補強板を含み、
前記導体層が前記絶縁層の側に積層され、
前記補強板が前記絶縁層のもう一方の側に積層され、前記補強板が方向において第二の長さを有し、前記第二の長さが１２ミリメートルより大きくなく、
前記拡張補強板が前記絶縁層に積層され、且つ前記補強板と同じ側に積層され、且つ前記拡張補強板と前記補強板との間に間隙があることを特徴とする、標準型補強板を有するフレキシブルフラットケーブル。